(57)【要約】【課題】  収納台に自立して収納できるとともに、収納台を介して充電することも、収納台を使用せずに充電することもできるコードレスの電気掃除機を提供する。【解決手段】  本発明の電気掃除機は、電動送風機が設けられた電動送風機室と、電動送風機室前方に電動送風機室と連通する集塵室、および、電動送風機室後方に蓄電池を収納する電源部とを備えた掃除機本体と、掃除機本体に接続され前記集塵室から前方に延びる吸込具と、吸込具を下にして垂直に立てて収納する収納台と、蓄電池を充電する充電器とを備え、掃除機本体に充電器を接続する第１接続部を、収納台に充電器を接続する第２接続部をそれぞれ設け、第２接続部の２次側と第１接続部とを接続する中継コードを設けた構成とする。【選択図】図１
2005052339.tif 000002
【特許請求の範囲】
【請求項１】
電動送風機が設けられた電動送風機室と、該電動送風機室前方に該電動送風機室と連通する集塵室、および、前記電動送風機室後方に蓄電池を収納する電源部とを備えた掃除機本体と、該掃除機本体に接続され前記集塵室から前方に延びる吸込具と、前記吸込具を下にして垂直に立てて収納する収納台と、前記蓄電池を充電する充電器とを備え、
前記掃除機本体に充電器を接続する第１接続部を、前記収納台に充電器を接続する第２接続部をそれぞれ設け、
前記第２接続部の２次側と前記第１接続部とを接続する中継コードを設けたことを特徴とする電気掃除機。
【請求項２】
前記中継コードは、前記第２接続部の２次側に予め接続しており、前記収納台内に収納可能であることを特徴とする請求項１に記載の電気掃除機。
【請求項３】
前記中継コードは、前記収納台に設けられた収納室に折りたたんで収納可能であることを特徴とする請求項２に記載の電気掃除機。
【請求項４】
前記中継コードは、前記収納台の内部に設置されたコードリールによって巻き取り可能であることを特徴とする請求項２に記載の電気掃除機。
【請求項５】
前記中継コードは、縮めて前記収納台内に収納可能な螺旋状のコードであることを特徴とする請求項２に記載の電気掃除機。
【請求項６】
前記充電器は、前記収納台の内部に収納可能であることを特徴とする請求項１から５のいずれかに記載の電気掃除機。
【請求項７】
前記収納台は、該収納台内に重りを有することを特徴とする請求項１から６のいずれかに記載の電気掃除機。
【発明の詳細な説明】
【技術分野】
【０００１】
本発明は電気掃除機に関するものである。
【背景技術】
【０００２】
従来、蓄電池によって駆動するコードレス電気掃除機としては、特許文献１に掃除機を専用充電台に取り付けて蓄電池を充電するものと、充電器を掃除機に接続して蓄電池を充電するものとの２種類が提案されている。また、専用充電台は掃除機を収納する台としての機能をも有する。
【特許文献１】特開２００２−３４８７６号公報
【発明の開示】
【発明が解決しようとする課題】
【０００３】
充電台によって充電する掃除機は、充電台が室内の床面積を占有することを嫌う使用者が少なくないにもかかわらず、専用充電台を使用しなければ充電をすることができないという問題があった。一方で、充電器によって充電する掃除機は、収納台が提供されず収納に大きな場所を要するという問題があった。
【０００４】
そこで、本発明は、収納台に自立して収納できるとともに、収納台を介して充電することも、収納台を使用せずに充電することもできるコードレスの電気掃除機を提供することを課題とする。
【課題を解決するための手段】
【０００５】
本発明は、前記課題を解決するため、電動送風機が設けられた電動送風機室と、該電動送風機室前方に該電動送風機室と連通する集塵室、および、前記電動送風機室後方に蓄電池を収納する電源部とを備えた掃除機本体と、該掃除機本体に接続され前記集塵室から前方に延びる吸込具と、前記吸込具を下にして垂直に立てて収納する収納台と、前記蓄電池を充電する充電器とを備え、前記掃除機本体に充電器を接続する第１接続部を、前記収納台に充電器を接続する第２接続部をそれぞれ設け、前記第２接続部の２次側と前記第１接続部とを接続する中継コードを設けたものとした。
【０００６】
この構成によれば、電気掃除機を収納台に垂直に立てて収納し、充電器を収納台の第２接続部に接続するとともに中継コードを掃除機本体の第１接続部に接続することで、前記電気掃除機を収納台と中継コードを介して充電することができる。また、充電器を前記掃除機本体の第１接続部に接続することで、前記電気掃除機を収納台を使用せずに充電することができる。
【０００７】
また本発明の電気掃除機において、前記中継コードは、前記第２接続部の２次側に予め接続しており、前記収納台内に収納可能であってもよい。
【０００８】
この構成によれば、前記中継コードを紛失することがない。
【０００９】
また本発明の電気掃除機において、前記中継コードは、前記収納台に設けられた収納室に折りたたんで収納可能であってもよい。
【００１０】
この構成によれば、前記中継コードをすっきりと収納できる。
【００１１】
また本発明の電気掃除機において、前記中継コードは、前記収納台の内部に設置されたコードリールによって巻き取り可能であってもよい。
【００１２】
この構成によれば、前記中継コードを容易に収納できる。
【００１３】
また本発明の電気掃除機において、前記中継コードは、縮めて前記収納台内に収納可能な螺旋状のコードであってもよい。
【００１４】
この構成によっても、前記中継コードを容易に収納できる。
【００１５】
また本発明の電気掃除機において、前記充電器は、前記収納台の内部に収納可能であってもよい。
【００１６】
この構成によれば、前記充電器をすっきりと収納できる。
【００１７】
また本発明の電気掃除機において、前記収納台は、該収納台内に重りを有してもよい。
【００１８】
この構成によれば、前記電気掃除機を立てて収納した状態での重心の位置を低くすることができる。
【発明の効果】
【００１９】
本発明によれば、収納台に垂直に立てて収納しながら収納台を介して充電をすることができ、また、収納台を使用しなくても充電器により充電をすることが可能なコードレスの電気掃除機を提供することができる。
【発明を実施するための最良の形態】
【００２０】
以下、本発明の実施の形態を添付図面にしたがって説明する。
【００２１】
図１は、本発明の第１実施形態による電気掃除機１の収納／充電中の状態を示す。電気掃除機１は掃除機本体２と、吸込具であるノズル３と、充電器４と、収納台５とによって構成され、さらに、中継コード６を備えている。
【００２２】
掃除機本体２は、図２に示すように、電動送風機１１を内蔵する電動送風機室１２と、蓄電池１３を収納する電源部１４と、集塵室１５とによって構成されている。電動送風機室１２とその後方に位置する電源部１４は、隔壁１６で仕切られており、電動送風機室１２と前方の集塵室１５はフィルタ１７を介して連通している。
【００２３】
電動送風機１１は、ノズル３から集塵室１５を通して空気と共にごみを吸引し、フィルタ１７でごみを分離した清浄な空気のみを電動送風機室１２に設けられた排気口１８から掃除機本体２の外部に排出する。電源部１４は、蓄電池１３を充電するための差込口１９（第１接続部）と、充電状態を示す表示ランプ２０が設けられていると共に、スイッチ２１によって蓄電池１３から電動送風機１１に電源を供給または遮断することができる。集塵室１５には、フィルタ１７によって分離されたごみが溜まり、ノズル３を接続するための接続ノズル２２から一度吸い込んだごみが逆戻りしないように、弁２３が設けられている。集塵室１５およびフィルタ１７は、清掃のために掃除機本体２より取り外すことができる。
【００２４】
ノズル３は、掃除機本体２の前方に接続され、その先端にフロアノズル３１を装着し、床の掃除に適した吸込具とすることもできる。
【００２５】
充電器４は、コンセントに差し込んで商用電源と接続することができる。また、充電器４は、コード４１が設けられ、該コード４１の先端にプラグ４２が取り付けられている。
【００２６】
収納台５は、図３に示すように、充電器４のプラグ４２と係合する差込口５１（第２接続部）を有するとともに充電器４を収納する収納室５２およびフロアノズル３１を収納するノズル収納部５３が設けられており、収納室５２は蓋５４によって開閉可能である。
【００２７】
また、収納台５の中央には、保持穴５５が設けられている。掃除機本体２にノズル３を接続した状態で、ノズル３の先端を保持穴５５に差し込むことで、図１に示すように、電気掃除機１を自立させることができる。
【００２８】
さらに、収納台５の内部には、図４に示すように、鉄板５６（重り）を有している。仮に、この鉄板５６がないとすれば、図１に示したように、重量のある電動送風機１１および蓄電池１３を有する掃除機本体２を上にして電気掃除機１を立てて置くと、その重心位置が高くなってしまい、誤って何かが接触したときなどに、簡単に倒れてしまうおそれがある。そこで、図４が示すように、収納台５の下部に鉄板５６を取り付け、鉄板５６の重みによって、電気掃除機１全体の重心位置を低くすることで、何かが接触しても電気掃除機１は容易には転倒しない。
【００２９】
中継コード６は、図２に示すように、先端には掃除機本体２の差込口１９に係合するプラグ６１が取り付けられており、プラグ６１と反対側の端部は収納台５の内部で差込口５１の２次側に接続されている。また、中継コード６は、図３に示すように、充電器４と共に収納台５の収納室５２に収納することができる。
【００３０】
以上の構成からなる、電気掃除機１は、家庭用電源コンセントに差し込んだ充電器４のコード４１のプラグ４２を収納台５に設けられた差込口５１（第２接続部）に差し込み、収納台５の内部で差込口５１の２次側に一端が接続されている中継コード６のプラグ６１を掃除機本体２の差込口１９に差し込むことで、蓄電池１３を充電することができる。また、充電器４のプラグ４２と中継コード６のプラグ６１、収納台５の差込口５１と掃除機本体２の差込口１９は、それぞれ係合に係る形状が同じであり、充電器４のプラグ４２を、掃除機本体２の差込口１９に直接差し込むこともできる。つまり、収納台５を使用しなくても、掃除機本体２に直接充電器４を接続し、蓄電池１３を充電することができる。
【００３１】
図５は、本発明の第２実施形態による電気掃除機の収納台５ａを示す。この収納台５ａの中継コード６は、収納台５ａ内部に設けられた自動巻取り機構を備えるコードリール６２によって巻き取ることができる。中継コード６はコードリール６２の回転によるねじれを避けるためにコードリール６２内部に設けられた回転可能な接点（不図示）で接続された内部中継コード６３によって差込口５１の２次側に接続している。さらに、プラグ６１までもが収納台５ａの内部に巻き取られてしまうことがないように、プラグ６１の座５７が収納台５ａ上に設けられている。充電器４は、蓋５６を有する収納室５２に収納できる。
【００３２】
図６は、本発明の第３実施形態による電気掃除機の収納台５ｂを示す。この収納台５ｂの中継コード６は螺旋状のコードである。螺旋状の中継コード６は、ばねとしての性質を有しており、自ら縮まることで、収納台５ａに設けられた円筒形の穴５８に容易に収納できる。
【図面の簡単な説明】
【００３３】
【図１】本発明の第１実施携形態による電気掃除機の斜視図である。
【図２】図１の電気掃除機の分解斜視図である。
【図３】図１の電気掃除機の収納台を示す斜視図である。
【図４】図１の電気掃除機の収納台を示す斜視図である。
【図５】本発明の第２実施携形態による電気掃除機の収納台を示す斜視図である。
【図６】本発明の第３実施携形態による電気掃除機の収納台を示す斜視図である。
【符号の説明】
【００３４】
１  電気掃除機
２  掃除機本体
３  ノズル（吸込具）
４  充電器
５，５ａ・ｂ  収納台
６  中継コード
１１  電動送風機
１２  電動送風機室
１３  蓄電池
１４  電源部
１５  集塵室
１９  差込口（第１接続部）
４２  プラグ
５１  差込口（第２接続部）
５２  収納室
５６  鉄板（重り）
６１  プラグ
６２  コードリール
【図１】
2005052339.tif 000003
【図２】
2005052339.tif 000004
【図３】
2005052339.tif 000005
【図４】
2005052339.tif 000006
【図５】
2005052339.tif 000007
【図６】
2005052339.tif 000008